(57)【要約】【課題】咬合印象採取時の精度を好適に向上させつつ、再使用可能な咬合印象用トレーを提供する。【解決手段】略Ｕ字状の枠部と、前記枠部に設けられた開閉可能なホルダと、前記枠部と前記ホルダとの間に着脱可能に取り付けられる隔壁膜と、前記枠部に一体的に設けられた把持部と、を具備すること、を特徴とする。【選択図】図１
2018079015.tif 000002
【特許請求の範囲】
【請求項１】
略Ｕ字状の枠部と、
前記枠部に設けられた開閉可能なホルダと、
前記枠部と前記ホルダとの間に着脱可能に取り付けられる隔壁膜と、
前記枠部に一体的に設けられた把持部と、
を具備すること、
を特徴とする咬合印象用トレー。
【請求項２】
前記枠部、前記ホルダが剛性を有すること、
を特徴とする請求項１に記載の咬合印象用トレー。
【請求項３】
前記隔壁膜が塑性変形性を有する材料であること、
を特徴とする請求項１又は２に記載の咬合印象用トレー。
【請求項４】
前記隔壁膜が２０μｍ以下の厚さであること、
を特徴とする請求項３に記載の咬合印象用トレー。
【発明の詳細な説明】
【技術分野】
【０００１】
本発明は、咬合印象採取の精度を向上させる咬合印象用トレーに関する。
【背景技術】
【０００２】
歯科治療では、特定の歯や該特定の歯を含む歯列にインレー（詰め物）やクラウン（被せもの）等の修復物（補綴物）を装着させて修復するケースが多い。当該修復物の製作は、対象の歯と、対合歯と、における歯型（印象）を採取する必要があり、必要な処置（う蝕部の除去等）を施した後に印象採取が行われる。当該印象採取には印象用トレーと、歯型を採取させる印象体と、が用いられ、当該印象用トレーに印象体を支持させて対象の歯と、対合歯と、に対して開口状態で個別に押し当て、印象採取が行われていた。
【０００３】
しかし、開口状態のまま、対象の歯と対合歯（上顎と下顎）についてそれぞれ個別に印象採取を行うと、下顎骨の歪や修復物の試適時における歯の変位等によって製作した修復物が予定より高くなってしまい、当該修復物を装着した後にその高さを口腔内で調整するため、別途時間と手間が必要である。このため、対象の歯と対合歯を閉口状態で同時に印象採取可能な咬合印象法が提案されており、当該咬合印象法を用いることにより通常印象と比してより正確な修復物の製作が可能となっている。
【０００４】
咬合印象法では、上顎歯列及び下顎歯列に対して同時に印象体を当接させることができる特殊な咬合印象用トレーが用いられ、当該咬合印象用トレーは、概ね枠部と、不織布等で形成されたメッシュの隔壁膜と、を具備して構成されたものが存在する（例えば特許文献１参照）。
【先行技術文献】
【特許文献】
【０００５】
【特許文献１】特表２０１３−５４０５２２号公報
【発明の概要】
【発明が解決しようとする課題】
【０００６】
しかしながら、上記のような咬合印象用のトレーは、トレーの剛性を高めて咬合印象採取の精度を向上する工夫がなされているが、隔壁膜がメッシュ等の薄い膜で構成されているため、咬合印象採取時の上顎歯列と下顎歯列との隙間が高くなり、咬合印象採取の精度が低下する恐れがあった。また、隔壁膜は縁の一部をフレームで囲われ、該フレームをトレーに備えられたチャネルに嵌め込むことで隔壁膜を装着する構造となっていることから、フレームとチャネルとの製造に高い寸法精度が必要になってしまう。
【０００７】
ここで、隔壁膜及び該隔壁膜の固定構造に着目すると、メッシュでは隔壁膜を薄く構成することができないため、咬合印象採取時の上顎歯列と下顎歯列との隙間を低くすることができない。また、隔壁膜の固定構造は、製造時及び継続使用における寸法の狂いから確実な固定を容易に行えないことは明らかであって、未だ改善の余地があった。  
【０００８】
そこで本発明は、上記問題に鑑みて、隔壁膜と該隔壁膜の固定構造を最適化させ、咬合印象採取時の精度を好適に向上させつつ、再使用可能な咬合印象用トレーを提供することを目的とする。
【課題を解決するための手段】
【０００９】
上記の課題を解決すべく、本発明は、
略Ｕ字状の枠部と、
前記枠部に設けられた開閉可能なホルダと、
前記枠部と前記ホルダとの間に着脱可能に取り付けられる隔壁膜と、
前記枠部に一体的に設けられた把持部と、
を具備すること、
を特徴とする咬合印象用トレーを提供する。
【００１０】
また、上記の本発明の咬合印象用トレーにおいては、
前記枠部、前記ホルダが剛性を有することが望ましい。
【００１１】
このような構成を有する本発明の咬合印象用トレーでは、咬合印象採取を行う歯列を囲繞する枠部と、上顎歯列の印象採取を行う印象体と下顎歯列の印象採取を行う印象体とを隔離する隔壁膜と、が別部品で構成されており、更に当該枠部が隔壁膜を固定できるホルダを具備して当該隔壁膜を着脱可能に構成されているため、施術毎に隔壁膜のみを交換し、その他の部分は繰り返して使用することができる。また、上記構造により、枠部を金属や高硬度を有する樹脂等で形成して剛性を備え、咬合印象採取時の操作及び該咬合印象採取後の石膏注入時等における変形を防止して咬合印象採取の精度を向上させることができる。
【００１２】
また、上記の本発明の咬合印象用トレーにおいては、
前記隔壁膜が塑性変形性を有する材料であることが望ましい。
【００１３】
また、上記の本発明の咬合印象用トレーにおいては、
前記隔壁膜が２０μｍ以下の厚さであることが望ましい。
【００１４】
このような構成を有する本発明の咬合印象用トレーでは、隔壁膜の厚さを２０μｍ以下で形成し、更に塑性変形性を具備させることで咬合印象採取時の上顎歯列と下顎歯列とに柔軟に合致しつつ隙間を低下させ、咬合印象採取の精度を向上することができる。
【図面の簡単な説明】
【００１５】
【図１】本実施形態における咬合印象用トレーの構造を示す図であって、図１（ａ）は、本実施形態における咬合印象用トレーの平面図であり、図１（ｂ）は、図１（ａ）に示す矢視Ａの側面図である。
【図２】図１に示す第一のホルダ及び第二のホルダの開閉機構を示す模式図である。
【図３】図１に示す隔壁膜の構造を示す図であって、図３（ａ）は隔壁膜の平面図あり、図３（ｂ）は図３（ａ）に示す矢視Ｂの断面図である。
【図４】図１に示す隔壁膜の着脱手順を示す図であって、図４（ａ）は、第一のホルダ及び第二のホルダを開ける手順を示す模式図であり、図４（ｂ）は、枠部内に隔壁膜を挿入して第一のホルダ及び第二のホルダを閉じる手順を示す模式図であり、図４（ｃ）は、嵌合用突起を固定する手順を示す模式図である。
【図５】変形例の全顎咬合印象用トレーを見下げた平面図である。
【図６】図５に示す全顎咬合印象用トレーを見上げた平面図である。
【図７】図５（ａ）に示す矢視Ｃの側面図である。
【図８】図５に示す隔壁膜の構造を示す平面図である。
【図９】本実施形態の咬合印象用トレーで印象体を支持する手順を示す図であって、図９（ａ）は、本実施形態の咬合印象用トレーに印象体を配置させる状態を示す模式図であり、図９（ｂ）は、把持孔を用いて印象体を固定させた状態を示す模式図である。
【図１０】本実施形態の咬合印象用トレーを用いた咬合印象採取の手順を示す図であって、図１０（ａ）は、本実施形態の咬合印象用トレーを患者の口腔内に挿入する手順を示す模式図であり、図１０（ｂ）は、患者が口腔内に挿入した本実施形態の咬合印象用トレーを咬合する手順を示す模式図であり、図１０（ｃ）は、咬合印象採取後における本実施形態の咬合印象用トレーを患者の口腔内から抜去する手順を示す模式図である。
【発明を実施するための形態】
【００１６】
以下、本発明に係る咬合印象用トレー１の代表的な実施形態を、図１〜図１０を参照しながら詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００１７】
１．咬合印象用トレー１の概要
本実施形態の咬合印象用トレー１は、石膏歯列模型の製作を目的とした咬合印象採取に用いる歯科治療用の医療器具であり、シリコーン等で構成された可塑性の印象体３１を両面に支持して上顎及び下顎における所望の歯列に当接させて咬合し、当該上顎及び下顎の印象を同時に採取するものである。また、本咬合印象用トレー１は、高い剛性を有した材料で構成され、更に非常に薄い隔壁膜９を用いて構成されていることから、咬合印象採取の精度を好適に向上することができるものである。
【００１８】
なお、本明細書では、構造及び作用を理解容易に説明するため、枠部３に２つのホルダ（第一のホルダ５及び第二のホルダ６）を備えた咬合印象用トレー１を代表して説明するが、ホルダの数を限定するものではない。
【００１９】
２．咬合印象トレー１の構造
＜部品構成＞
図１（ａ）及び（ｂ）を用いて本実施形態における咬合印象用トレー１の構造を詳細に説明する。図１（ａ）及び（ｂ）は、本実施形態における咬合印象用トレー１の構造を示す図であって、図１（ａ）は、本実施形態における咬合印象用トレー１の平面図であり、図１（ｂ）は、図１（ａ）に示す矢視Ａの側面図である。図１（ａ）及び（ｂ）に示すとおり、本咬合印象用トレー１は、概ね第一のホルダ５及び第二のホルダ６を具備して成る略Ｕ字状の枠部３と、当該第一のホルダ５を構成する第一のサイドウォール５Ａ及び第一の固定枠部５Ｂと、第二のホルダ６を構成する第二のサイドウォール６Ａ及び第二の固定枠部６Ｂと、施術者が本咬合印象用トレー１を把持するための把持部７と、枠部３で構成される輪部３３内に上顎歯列５１側と下顎歯列５３側とを隔離する隔壁膜９と、から構成されている。
【００２０】
＜枠部３＞
枠部３は、後述する隔壁膜７の固定及び印象体３１を支持しつつ該印象体３１が咬合印象採取時に横方向に広がって逃げることを抑制するための第一のホルダ５及び第二のホルダ６を連結したフレーム状の部品であって、上顎歯列５１及び下顎歯列５３を平面視した状態における左半分又は右半分の歯列を囲繞する形状を成している。上記のことから、当該枠部３の内側に咬合印象を採取するための空間を構成する輪部３３が形成されている。また、当該枠部３は所定の硬度を有する材料で形成されることが好ましく、例えば耐食性を有するＳＵＳ４０３等のステンレス鋼やステライト等のコバルト基合金、又はアクリルやポリカーボネート等の高硬度を有する樹脂で形成することが望ましい。枠部３が所定の硬度で形成されて剛性を備えることにより、咬合印象採取時の操作及び該咬合印象採取後の石膏注入時等の変形を防止することができる。
【００２１】
＜第一のホルダ５＞
略Ｕ字状の枠部３は、第一のサイドウォール５Ａ及び第二のサイドウォール６Ａで構成され、第一のサイドウォール５Ａは、湾曲しつつ長手方向Ｘ１（前歯側から奥歯側）に伸びており、所定の厚さ及び高さで形成されている。また、当該第一サイドウォール５Ａは平滑な第一サイドウォール天面１１を有しており、第一の固定枠部５Ｂが備える第一固定枠底面１５と当接しつつ嵌合する。
【００２２】
第一の固定枠部５Ｂは、第一のホルダ５として主として機能し、第一のサイドウォール５Ａと略対称の形状をしており、第一固定枠底面１５を第一のサイドウォール５Ａが備える第一サイドウォール天面１１と当接させることで嵌合する。本実施形態の咬合印象用トレー１では、第一のサイドウォール５Ａと、第一の固定枠部５Ｂと、を簡易的な開閉機構を有したヒンジ部１９で接続しており、当該ヒンジ部１９を開閉させることで第一のサイドウォール５Ａと、第一の固定枠部５Ｂと、の嵌合及び該嵌合の解除を行うことができる。
【００２３】
また、第一のサイドウォール５Ａと第一の固定枠部５Ｂとにおける長手方向Ｘ１の手前側には嵌合用突起２１が配設されており、該それぞれの嵌合用突起２１を結束帯２３で結束することにより、第一のサイドウォール５Ａと第一の固定枠部５Ｂとを閉じた状態で固定することができる。
【００２４】
＜第二のホルダ６＞
第二のホルダ６は、第一のホルダ５と対向して配設されるものである。略Ｕ字状の枠部３は、第一のサイドウォール５Ａ及び第二のサイドウォール６Ａで構成され、第二のサイドウォール６Ａは、湾曲しつつ長手方向Ｘ１（前歯側から奥歯側）に伸びており、所定の厚さ及び高さで形成されている。また、当該第二のサイドウォール６Ａは平滑な第二サイドウォール天面１３を有しており、第二の固定枠部６Ｂが備える第二固定枠底面１５と当接して嵌合する。
【００２５】
第二の固定枠部６Ｂは、第二のホルダ６として主として機能し、第二のサイドウォール６Ａと略対称の形状をしており、当該第二のサイドウォール６Ｂが備える第二サイドウォール天面１３と当接して嵌合する。本実施形態の咬合印象用トレー１では、第二のサイドウォール６Ａと、第二の固定枠部６Ｂと、のそれぞれが嵌合用突起２１を備えており、該それぞれの嵌合用突起２１を結束帯２３で結束することにより、第二のサイドウォール６Ａと、第二の固定枠部６Ｂと、を固定することができる。
【００２６】
上述した第一のホルダ５と、第二のホルダ６と、は輪部３３側に複数の把持孔２５を具備しており、咬合印象採取時に印象体３１が当該把持孔２５に入り込むことで印象体３１をより確実に枠部３で固定することができる。なお、本実施形態の咬合印象用トレー１は、上述のとおり第一のホルダ５と、第二のホルダ６と、に把持孔２５を設けているが、構造は孔に限定されるものではなく、所定の高低差を有する凹凸や襞であってもよい。
【００２７】
＜第一のホルダ５及び第二のホルダ６の開閉機構＞
図２に、第一のホルダ５（第一の固定枠部５Ｂ）及び第二のホルダ６（第二の固定枠部６Ｂ）の開閉機構を説明する模式図を示す。上述したとおり、枠部３は自身が備える第一のホルダ５及び第二のホルダ６を開閉して隔壁膜９を固定することができる。図２に示す様に、第一のホルダ５を構成する第一のサイドウォール５Ａ及び第一の固定枠部５Ｂにおける開閉と、第二のホルダ６を構成する第二のサイドウォール６Ａ及び第二の固定枠部６Ｂにおける開閉と、は別々に行う機構となっている。
【００２８】
より詳述すると、第一のホルダ５は、第一のサイドウォール５Ａと第一の固定枠部５Ｂとを接続しているヒンジ部１９を軸にし、第一の固定枠部５Ｂを輪部３３側から外側となる第一開閉方向Ｙ１に開け、逆の手順で外側から第一開閉方向Ｙ１に閉じる。これにより、第一のサイドウォール５Ａが備える第一サイドウォール天面１１と、第一の固定枠部５Ｂが備える第一の固定枠部底面１５と、の当接及び該当接の解除を行うことができる。
【００２９】
第二のホルダ６は、第二のサイドウォール６Ａの一部と第二の固定枠部６Ｂの一部とが互いに干渉するため、上述した第一のホルダ５と同様に第二の固定枠部６Ｂを輪部３３側から外側に開けることができない。このため、上述したとおり第二のサイドウォール６Ａと第二の固定枠部６Ｂとのそれぞれが嵌合用突起２１を具備し、該それぞれの嵌合用突起２１を結束帯２３でまとめて結束及び該結束２３の解除により第二のサイドウォール６Ａと第二の固定枠部６Ｂとの開閉を第二開閉方向Ｙ２に行うことができる。これにより、第二のサイドウォール６Ａが備える第二サイドウォール天面１３と、第二の固定枠部６Ｂが備える第二の固定枠部底面１７と、の当接及び該当接の解除を行うことができる。なお、嵌合用突起２１の配設位置及び配設数は枠部３の形状（構成サイズ等）によって適宜決定することが好ましい。また、上述のとおり本実施形態の咬合印象用トレー１では、嵌合用突起２１及び結束帯２３を用いた開閉機構を用いているが、枠部３（第一のホルダ５及びホルダ６を含む）の形状によっては、第一のホルダ５と同様にヒンジ部１９を用いた開閉機構としてもよい。
【００３０】
＜把持部７＞
把持部７は、略長方形の板であって枠部３の長手方向Ｘ１手前側（より具体的には第一のサイドウォール５Ａの長手方向Ｘ１における手前側）に接続されており、施術者は当該把持部７を把持することでより簡便で確実な施術を行うことができる。当該把持部７の形状は、嵌合印象採取後に使用する嵌合器の形状に合わせて切り欠き等を有した平面形状としてもよい。
【００３１】
＜隔壁膜９＞
次に、図３（ａ）及び（ｂ）を用いて隔壁膜９の構造について詳細に説明する。図３（ａ）及び（ｂ）は、隔壁膜９の構造を示す図であって、図３（ａ）は隔壁膜９の平面図あり、図３（ｂ）は図３（ａ）に示す矢視Ｂの断面図である。図３（ａ）及び（ｂ）に示すとおり、隔壁膜９は、上顎歯列５１の印象採取を行う印象体３１と、下顎歯列５３の印象採取を行う印象体３１と、を当該隔壁膜９の表裏でそれぞれを隔離し、咬合時における上顎歯列５１及び下顎歯列５３の印象を同時に採取するためのものである。当該隔壁膜９は、枠部３で構成された輪部３３に配設される薄膜部９Ａと、第一のホルダ５及び第二のホルダ６に固定される縁部９Ｂと、によって構成され、枠部３の平面形状と略同形に形成されている。
【００３２】
隔壁膜９は、塑性変形性を有しつつ破れにくい材料を用いて形成することが好ましく、より具体的には高密度ポリエチレン等の熱可塑性樹脂等を用いて形成することが特に好ましい。また、薄膜部９Ａの主面は厚さ２０μｍ以下の厚さで形成することが望ましい。これにより、咬合印象採取の精度が高まり、更に施術時における口腔内の調整を短時間で完了することができる。また、縁部９Ｂは第一のホルダ５及び第二のホルダ６で上下から押圧して固定されるものであるため、所定の硬度を有した樹脂材料を用いつつ、薄膜部９Ａと比して厚く形成することが望ましい。
【００３３】
３．隔壁膜９の着脱手順
続いて、図４（ａ）（ｂ）（ｃ）を用いて本実施形態の咬合印象用トレー１に対する隔壁膜９の着脱手順について詳細に説明する。図４（ａ）（ｂ）（ｃ）は、本実施形態の咬合印象用トレー１に対する隔壁膜９の着脱手順を示す図であって、図４（ａ）は、本実施形態の咬合印象用トレー１の第一のホルダ５及び第二のホルダ６を開ける手順を示す模式図であり、図４（ｂ）は、枠部３内に隔壁膜９を挿入して第一のホルダ５及び第二のホルダ６を閉じる手順を示す模式図であり、図４（ｃ）は、結束帯２３を用いて嵌合用突起２１を結束して固定する手順を示す模式図である。
【００３４】
図４（ａ）に示すとおり、まず枠部３が備える第一のホルダ５と第二のホルダ６とを開ける。詳述すると、第一のホルダ５を構成する第一のサイドウォール５Ａと第一の固定枠部５Ｂとを固定している結束帯２３を嵌合用突起２１から外して当該第一のホルダ５を第一開閉方向Ｙ１に開け、第二のホルダ６を構成する第二のサイドウォール６Ａと第二の固定枠部６Ｂとを固定している結束帯２３を嵌合用突起２１から外して当該第二のホルダ６を第二開閉方向Ｙ２に開ける。
【００３５】
続いて、図４（ｂ）に示すとおり、上述の手順で開けた第一のホルダ５と第二のホルダ６とに隔壁膜９を配置し、再度当該第一のホルダ５と第二のホルダ６とを閉じて隔壁膜９を固定する。より具体的には、第一のサイドウォール５Ａが具備する第一サイドウォール天面１１と第二のサイドウォール６Ａが具備する第二サイドウォール天面１３との位置に留意しつつ隔壁膜９を枠部３に配置し、当該隔壁膜９の配置がズレないよう慎重に第一の固定枠部５Ｂ及び第二の固定枠部６Ｂを操作して、第一のホルダ５及び第二のホルダ６を閉じる。この時、隔壁膜９の縁部９Ｂが第一サイドウォール天面１３及び第一固定枠底面１５と、第二サイドウォール天面１３及び第二固定枠底面１７と、に挟まれ、異物等が入り込んで隙間や浮き等が発生していないことを確認する。
【００３６】
次に、図４（ｃ）に示すとおり、第一のホルダ５及び第二のホルダ６が具備するそれぞれの嵌合用突起２１を結束帯２３にて結束し、当該第一のホルダ５及び第二のホルダ６を閉じた状態で固定する。以上で本実施形態の咬合印象用トレー１に隔壁膜９を装着する手順が完了する。なお、取り外す手順は上述した装着手順を逆に進めることで達成することができるが、施術で使用した後は印象体３１の除去を完了した後に行うことが望ましい。
【００３７】
４．全顎咬合印象用トレー１０１の概要
次に、図５〜図７を用いて本実施形態における咬合印象用トレー１の変形例を説明する。図５は全顎咬合印象用トレー１０１を見下げた平面図であり、図６は全顎咬合印象用トレー１０１を見上げた平面図であり、図７は図５（ａ）に示す矢視Ｃの側面図である。図５〜図７に示すとおり、全顎咬合印象用トレー１０１は上顎歯列５１及び下顎歯列５３を左右同時に咬合印象採取できるものであって、上記にて詳述した片顎用の咬合印象用トレー１を略左右対称に構成したものである。
【００３８】
５．全顎咬合印象用トレー（変形例）１０１の構造
全顎咬合印象用トレー１０１は、概ね第一のホルダ１０５及び第二のホルダ１０６を具備して成る枠部１０３と、当該第一のホルダ１０５を構成する第一のサイドウォール１０５Ａと第一の固定枠部１０５Ｂと第二の固定枠部１０５Ｃと、第二のホルダ１０６を構成する第二のサイドウォール１０６Ａ及び第三の固定枠部１０６Ｂと、施術者が全顎咬合印象用トレー１０１を把持するための把持部１０７と、枠部１０３で構成される輪部１３３内に上顎歯列５１側と下顎歯列５３側とを隔離する隔壁膜１０９と、から構成されている。
【００３９】
上記のとおり、全顎咬合印象用トレー１０１は片顎用の咬合印象用トレー１と一部の部品形状が異なるのみであって、略同様の部品構成となっている。このため、片顎用の咬合印象用トレー１が備える部品と略同様のものは説明を省略する。
【００４０】
＜枠部１０３＞
枠部１０３は、第一のホルダ１０５及び第二のホルダ１０６を連結したフレーム状の部品であって、上顎歯列５１及び下顎歯列５３を平面視した状態における左右の歯列を囲繞する略馬蹄形状を成している。上記のことから、当該枠部１０３の内側に咬合印象を採取するための空間を構成する輪部１３３が形成されている。
【００４１】
＜第一のホルダ１０５＞
図６に示すとおり、第一のサイドウォール１０５Ａは、湾曲しつつ範囲Ｗ１（左奥歯側〜前歯列〜右奥歯側）に伸びており、所定の厚さ及び高さで形成されている。また、当該第一サイドウォール１０５Ａは平滑な第一サイドウォール天面１１１を有しており、後述する第一の固定枠部１０５Ｂが備える第一固定枠底面１１５と、第二の固定枠部１０５Ｃが備える第二固定枠底面１１６と、に当接しつつ嵌合する。
【００４２】
第一の固定枠部１０５Ｂは、第一のサイドウォール１０５Ａの範囲Ｗ２と略対照の形状をしており、当該第一の固定枠部１０５Ｂが備える第一固定枠底面１１５を第一のサイドウォール１０５Ａが備える第一サイドウォール天面１１１の左半分に当接させることで嵌合する。第二の固定枠部１０５Ｃは、第一のサイドウォール１０５Ａの範囲Ｗ３と略対照の形状をしており、当該第二の固定枠部１０５Ｃが備える第二固定枠底面１１６を第一のサイドウォール１０５Ａが備える第一サイドウォール天面１１１の右半分に当接させることで嵌合する。なお、第一の固定枠部１０５Ｂ及び第二の固定枠部１０５Ｃは、第一のサイドウォール５Ａと簡易的な開閉機構を有したヒンジ部１１９でそれぞれ接続されており、当該ヒンジ部１１９を開閉させることで第一のサイドウォール１０５Ａとの嵌合及び該嵌合の解除を行うことができる。
【００４３】
また、第一のサイドウォール１０５Ａ及び第一の固定枠部１０５Ｂにおける範囲Ｗ２の前歯列側と、第一のサイドウォール１０５Ａ及び第二の固定枠部１０５Ｃにおける範囲Ｗ３の前歯列側と、には嵌合用突起１２１が配設されており、該それぞれの嵌合用突起１２１を結束帯２３で結束することにより、第一のサイドウォール１０５Ａと第一の固定枠部１０５Ｂとを閉じた状態で固定することができる。
【００４４】
＜第二のホルダ１０６＞
第二のホルダ１０６は、第一のホルダ１０５と対向して配設されるものである。当該第二ホルダ１０６が備える第二のサイドウォール１０６Ａは、湾曲しつつ範囲Ｗ４に伸びており、所定の厚さ及び高さで形成されている。また、当該第二のサイドウォール１０６Ａは平滑な第二サイドウォール天面１１３を有しており、第三の固定枠部１０６Ｂが備える第三固定枠底面１１７と当接して嵌合する。
【００４５】
第二の固定枠部１０６Ｂは、第二のサイドウォール１０６Ａと略対照の形状をしており、当該第二のサイドウォール１０６Ｂが備える第二サイドウォール天面１１３と当接して嵌合する。第二のサイドウォール１０６Ａ及び第三の固定枠部１０６Ｂは、それぞれが外側の略両端部及び中間部に３つの嵌合用突起１２１を備えており、該それぞれの嵌合用突起１２１を結束帯２３で結束することにより、第二のサイドウォール１０６Ａと、第二の固定枠部１０６Ｂと、を固定することができる。
【００４６】
また、全顎咬合印象用トレー１０１においても、第一のホルダ１０５及び第二のホルダ１０６の輪部１３３側に複数の把持孔１２５を具備しており、印象体３１をより確実に枠部１０３で固定できるよう構成されている。なお、把持孔１２５は所定の高低差を有する凹凸や襞を形成して代替してもよい。
【００４７】
＜第一のホルダ１０５及び第二のホルダ１０６の開閉機構＞
全顎咬合印象用トレー１０１は、第一のホルダ１０５を構成する第一のサイドウォール１０５Ａ及び第一の固定枠部１０５Ｂにおける開閉と、第一のサイドウォール１０５Ａ及び第二の固定枠部１０５Ｃと、における開閉と、第二のホルダ１０６を構成する第二のサイドウォール１０６Ａ及び第三の固定枠部１０６Ｂにおける開閉と、は別々に行う機構となっている。なお、部品の形状及び数は上述した片顎用の咬合印象用トレー１と多少異なるが、開閉機構及び隔壁膜１０９の着脱手順に大きな差異はないため、具体的な説明は省略する。
【００４８】
＜隔壁膜１０９＞
次に、図８を用いて隔壁膜１０９の構造について詳細に説明する。図８は、隔壁膜１０９の構造を示す平面図である。図８に示すとおり、隔壁膜１０９は、全顎咬合印象用トレー１０１の形状に合わせて形成された、咬合印象採取時における左右の上顎歯列５１側の印象体３１及び下顎歯列側５３の印象体３１を隔離するためのものである。当該隔壁膜１０９は、枠部１０３で構成された輪部１３３に配設される薄膜部１０９Ａと、第一のホルダ１０５及び第二のホルダ１０６に固定される縁部１０９Ｂと、によって構成され、枠部１０３の平面形状と略同形に形成されている。
【００４９】
なお、厚さ及び材料は片顎用の咬合印象用トレー１と同様で、柔軟に変形可能な破れにくい樹脂材料を用いて形成することが好ましく、より具体的には高密度ポリエチレン等を用いて厚さ２０μｍ以下の厚さで形成することが望ましい。
【００５０】
縁部１０９Ｂは第一のホルダ１０５及び第二のホルダ１０６で上下から押圧して固定されるものであるため、所定の硬度を有した樹脂材料を用いつつ、薄膜部１０９Ａと比して厚く形成することが望ましい。
【００５１】
６．咬合印象用トレー１を用いた施術手順
以下より、図９（ａ）及び（ｂ）と、図１０（ａ）（ｂ）（ｃ）と、を用いて本実施形態の咬合印象用トレー１を用いた施術手順を説明する。図９（ａ）及び（ｂ）は、本実施形態の咬合印象用トレー１で印象体３１を支持する手順を示す模式図であって、図９（ａ）は、本実施形態の咬合印象用トレー１に印象体３１を配置させる状態を示す模式図であり、図９（ｂ）は、把持孔２５を用いて印象体３１を固定させた状態を示す模式図である。
【００５２】
図１０（ａ）（ｂ）（ｃ）は、本実施形態の咬合印象用トレー１を用いた咬合印象採取の手順を示す図であって、図１０（ａ）は、本実施形態の咬合印象用トレー１を患者の口腔内に挿入する手順を示す模式図であり、図１０（ｂ）は、患者が口腔内に挿入した本実施形態の咬合印象用トレー１を咬合する手順を示す模式図であり、図１０（ｃ）は、咬合印象採取後における本実施形態の咬合印象用トレー１を患者の口腔内から抜去する手順を示す模式図である。
【００５３】
＜咬合印象用トレー１の準備〜印象体３１の配置＞
まず、施術者は本実施形態の咬合印象用トレー１を所定の清掃及び消毒処理等を行って新しい隔壁膜９を装着した後、図９（ａ）に示す様に当該隔壁膜９の表面側及び裏面側に所定量の印象体３１を当接させる。この時、表面側及び裏面側の印象体３１が隔壁膜９に対して略均一に配置されるよう押圧して広げて配置する。
【００５４】
上記手順で印象体３１が隔壁膜９の表裏に配置された後、図９（ｂ）に示す様に施術者は枠部３近傍の印象体３１を該枠部３に向けて押圧し、印象体３１の一部を複数の把持孔２５に挿入させる。これにより、枠部３が印象体３１をより確実な支持が完了し、本実施形態における咬合印象用トレー１の施術準備が完了する。
【００５５】
＜咬合印象採取＞
次に、本実施形態の咬合印象用トレー１を用いた咬合印象採取の手順を説明する。まず、図１０（ａ）に示すとおり、施術者は患者の口を開けて維持させ、咬合印象採取を必要とする歯列に印象体３１が当接するよう、本咬合印象用トレー１を患者の口腔内に挿入する。この時、施術者は把持部７を把持しつつ該把持部７を手前側に位置させ、患者が咬合した際に枠部３が歯列に接触しないよう慎重に配置させる必要がある。次に、図１０（ｂ）に示すとおり、患者を閉口させて徐々に印象体３１を咬合させ、咬合状態を維持させる。当該咬合時間は咬合印象採取を必要とする歯列の位置や印象体３１の特性等によって決定されるものである。
【００５６】
続いて、図１０（ｃ）に示すとおり、施術者は待機後、再び患者の口を開けて把持部７を把持し、本実施形態の咬合印象用トレー１を患者の口腔内から抜去する。この時、印象体３１が採取した歯列の形状が変化しないよう、当該印象体３１を歯列から慎重に離別させることが重要である。
【００５７】
上記手順により、本実施懈怠の咬合印象用トレー１を用いた咬合印象採取の手順が完了し、当該咬合印象は患者に必要なインレーやクラウンの製作作業に用いられることになる。
【００５８】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【産業上の利用可能性】
【００５９】
本実施形態の咬合印象用トレー１は、隔壁膜９と該隔壁膜９の固定構造を最適化させ、咬合印象採取時の精度を好適に向上させつつ、再使用を可能とするものである。
【符号の説明】
【００６０】
１        咬合印象用トレー
３        枠部
５        第一のホルダ
５Ａ      第一のサイドウォール
５Ｂ      第一の固定枠部
６        第二のホルダ
６Ａ      第二のサイドウォール
６Ｂ      第二の固定枠部
７        把持部
９        隔壁膜
９Ａ      薄膜部
９Ｂ      縁部
１１      第一サイドウォール天面
１３      第二サイドウォール天面
１５      第一固定枠底面
１７      第二固定枠底面
１９      ヒンジ部
２１      嵌合用突起
２３      結束帯
２５      把持孔
３１      印象体
３３      輪部
５１      上顎歯列
５３      下顎歯列
１０１    全顎咬合印象用トレー
１０３    枠部
１０５    第一のホルダ
１０５Ａ  第一のサイドウォール
１０５Ｂ  第一の固定枠部
１０５Ｃ  第二の固定枠部
１０６    第二のホルダ
１０６Ａ  第二のサイドウォール
１０６Ｂ  第三の固定枠部
１０７    把持部
１０９    隔壁膜
１０９Ａ  薄膜部
１０９Ｂ  縁部
１１１    第一サイドウォール天面
１１３    第二サイドウォール天面
１１５    第一固定枠底面
１１６    第二固定枠底面
１１７    第三固定枠底面
１１９    ヒンジ部
１２１    嵌合用突起
１２５    把持孔
１３３    輪部
Ｘ１      長手方向
Ｙ１      第一開閉方向
Ｙ２      第二開閉方向
Ｗ１      範囲
Ｗ２      範囲
Ｗ３      範囲
Ｗ４      範囲
【図１】
2018079015.tif 000003
【図２】
2018079015.tif 000004
【図３】
2018079015.tif 000005
【図４】
2018079015.tif 000006
【図５】
2018079015.tif 000007
【図６】
2018079015.tif 000008
【図７】
2018079015.tif 000009
【図８】
2018079015.tif 000010
【図９】
2018079015.tif 000011
【図１０】
2018079015.tif 000012